(57)【特許請求の範囲】
【請求項１】
手順信号の全二重通信と半二重通信が可能なファクシミリ装置において、
まず、受信機側にて全二重通信が可能な所定信号を送出し、所定時間以内に送信機側から全二重通信が可能である所定信号を検出すると、手順信号の全二重通信を開始し、所定時間以内に送信機側から全二重通信が可能である所定信号を検出できないと、受信機側にて半二重通信が可能な所定信号を送出することを特徴とするファクシミリ装置。
【発明の詳細な説明】
【０００１】
【発明の属する技術分野】
本発明は、手順信号の伝送を全二重通信としたファクシミリ装置に関する。
【０００２】
【従来の技術】
従来のＩＴＵ−Ｔ勧告、Ｔ３０、Ｔ３、Ｔ４、Ｔ６に基づいたファクシミリ装置では、手順信号、画信号ともに半二重通信で伝送していた。
【０００３】
【発明が解決しようとする課題】
このように、従来のファクシミリ装置では、手順信号の伝送は半二重通信であったので、送信機から受信機に信号を送出して、受信機がこの信号を受信終了後に、この信号に対応して新たな信号を送出するように動作していた。
【０００４】
しかしながら、受信機が全二重通信可能である場合、全二重通信と半二重通信とを切り替えるファクシミリ装置はなかった。
【０００５】
本発明は、全二重通信と半二重通信とを円滑に切り換えることができるファクシミリ装置を提供することを目的とする。
【０００６】
【課題を解決するための手段】
本出願の発明では、手順信号の全二重通信と半二重通信が可能なファクシミリ装置において、まず、受信機側にて全二重通信が可能な所定信号を送出し、所定時間以内に送信機側から全二重通信が可能である所定信号を検出すると、手順信号の全二重通信を開始し、所定時間以内に送信機側から全二重通信が可能である所定信号を検出できないと、受信機側にて半二重通信が可能な所定信号を送出することから、全二重通信と半二重通信とを円滑に切り換えることが可能になる。
【００１４】
【発明の実施の形態および実施例】
図１は、本発明の実施例におけるファクシミリ装置の構成を示すブロック図である。
【００１５】
ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、制御回路５４からの信号レベル（信号線５４ａ）が「０」であれば、電話回線２ａを電話機４側に接続し、信号レベルが「１」であれば、電話回線２ａをファクシミリ装置側に接続するものである。なお、通常状態では、電話回線２ａは電話機４側に接続されている。
【００１６】
ハイブリッド回路６は、送信系の信号と受信系の信号とを分離し、加算回路２４からの送信信号をＮＣＵ２経由で電話回線２ａに送出し、相手側からの信号をＮＣＵ２経由で受取り、信号線６ａ経由で復調器Ｂ２８および復調器Ａ２６に送るものである。ハイブリッド回路６により全二重通信が可能である。
【００１７】
変調器Ａ８は、手順信号の変調を行う変調器であり、制御回路５４からの手順信号（信号線５４ｉ）を変調し、信号線８ａを通して加算回路２４に送出するものである。変調器Ａと復調器Ａとは全二重通信で同時に動作可能である。
【００１８】
読取回路１０は、ＣＣＤ（電荷結合素子）等の撮像素子と光学系で構成され、送信原稿より主走査方向１ライン分の画信号を順次読み取り、白、黒の２値を表わす信号列を作成して、信号線１０ａより出力するものである。
【００１９】
符号化回路１６は、信号線１０ａに出力されている情報を入力し、符号化（Ｋ＝８のＭＲ符号化）したデータを信号線１６ａに出力する。
【００２０】
メモリ回路１８は、信号線５４ｄの制御に従い、信号線１６ａに出力されている符号化データを格納するとともに、この格納した符号化データを信号線１８ａに出力する。
【００２１】
復号化／変倍／符号化回路２０は、信号線１８ａに出力されている信号を入力し、必要に応じて一度復号化して変倍し、符号化を行う回路であり、この符号化したデータを信号線２０ａに出力する。
【００２２】
変調器Ｂ２２は、画信号の変調を行う。この変調器２２は、信号線２０ａの信号を入力して変調を行い、変調データを信号線２２ａに出力する。
【００２３】
加算回路２４は、信号線８ａと信号線２２ａの信号を入力し、加算した結果を信号線２４ａに出力する。
【００２４】
復調器Ａ２６は、手順信号の復調を行う。この復調器２６は、信号線６ａの信号を入力して復調を行い、復調データを信号線２６ａに出力する。変調器Ａと復調器Ａとは、全二重通信で同時に動作可能である。
【００２５】
復調器Ｂ２８は、画信号の復調を行う。この復調器２８は、信号線６ａの信号を入力して復調を行い、復調データを信号線２８ａに出力する。
【００２６】
復号化／符号化回路３０は、信号線２８ａに出力されている復調データを入力し、一度復号化し、復号化したデータを信号線３０ａに出力し、また、再度Ｋ＝８のＭＲ符号化したデータを信号線３０ｂに出力する。
【００２７】
メモリ回路３２は、信号線５４ｅの制御に従い、信号線３０ｂに出力されている符号化データをメモリ回路３２に格納し、また信号線５４ｅの制御に従い、メモリ回路３２に格納されているデータを信号線３２ａに出力する。
【００２８】
復号化回路３４は、信号線３２ａに出力されている信号を入力し、復号化（Ｋ＝８のＭＲ復号化）したデータを信号線３４ａに出力する。
【００２９】
記録回路３６は、信号線３４ａに出力されているデータを入力し、順次、１ラインずつ記録を等速で行うＬＢＰである。
【００３０】
制御回路５４は、本ファクシミリ装置の全体を制御するものであり、特に本発明の第１実施例において、以下のような制御を行う。まず、本実施例のファクシミリ装置は、手順信号は全二重通信で伝送し、画信号は半二重通信で伝送するものであり、受信機側は、受信命令信号を受信するまで初期識別信号を連続して送出する。これに対して送信機側は、初期識別信号を受信するまで、フラグパターンを送出し、初期識別信号を受信後、受信命令信号の送信を開始し、これ以後は、受信準備確認信号を受信するまで、初期識別信号を１つ受信する毎に受信命令信号を１つ送出する。
【００３１】
また、受信機側は、受信命令信号を１つ受信する毎に受信準備確認信号を送出し、画信号を検出すると受信準備確認信号の送出を即座に中止し、画信号の受信に移行する。送信機側は、画信号の送出終了後、メッセージ確認信号を受信するまでメッセージ後命令信号を連続して送出する。
【００３２】
そして、受信機側はメッセージ後命令信号を受信時に、次ページの受信へ移行できない場合は、受信不可信号を送出し、その後、フラグ信号を連続して送出し、次ページの受信が可になれば、メッセージ確認信号を送出する。送信機側は、メッセージ後命令信号を送出後、受信不可信号を検出した場合はメッセージ確認信号を受信するまでフラグを送出し、メッセージ確認信号を受信後、画信号の送出へ移行する。ここで、手順信号中は有効信号を送出しない時には無音とせず、フラグを送出し、全二重通信を確保する。
【００３３】
図２〜図４は、以上の制御の具体的な手順例を示す説明図である。
【００３４】
図２〜図４において、（１）はエラーのない手順を表わしており、（１−１）はフェーズＢ、すなわち前手順を表わしている。また、（１−２）はフェーズＤ、すなわち後手順を表わしており、（２）はエラー手順を表わしている。
【００３５】
まず、図２に示す（１）の（１−１）において、最初に、送信機側あるいは受信機側から２１００Ｈｚの信号を所定時間送出し、エコーサプレッサーをディスエーブルし、全二重通信を可能とし、さらに伝送スピードも決定している。
【００３６】
この後、送受信機ともに同期信号を送出し、受信機は、引き続きＤＩＳ信号▲１▼を送出し、続いてＤＣＳ信号を受信するまでＤＩＳ信号▲２▼、ＤＩＳ信号▲３▼と送出し続ける。さらに、受信機は、ＤＩＳ信号▲３▼を送出終了時点でＤＣＳ信号▲１▼の受信を終了する。
【００３７】
一方、送信機は、同期信号の送出終了後、ＤＩＳ信号を受信するまでフラグ信号を連送する。そして、送信機は、ＤＩＳ信号▲１▼を受信すると、ＤＣＳ信号▲１▼を送信し、ＣＦＲ信号を受信するまでＤＩＳ信号を１つ受信する毎にＤＣＳ信号を１つ送信する。そして、送信機は、ＤＣＳ信号▲２▼を送出後、ＣＦＲ信号▲１▼の受信を終了するので、画信号の送出へ移行する。
【００３８】
受信機は、ＤＣＳ信号▲１▼を受信すると、ＣＦＲ信号▲１▼を送出し、さらに、ＤＣＳ信号▲２▼を受信すると、ＣＦＲ信号▲２▼を送出する。そして、ＣＦＲ信号▲２▼の送出中に画信号を検出するので、ＣＦＲ信号▲２▼の送信を途中で中断し、画信号の受信へ移行する。ここで、送信機、受信機ともに有効な信号を送出していない時は、フラグを送出する。
【００３９】
図５、図６は、以上のような前手順における制御の流れを示すフローチャートである。
【００４０】
まず、図５は、送信機側の前手順を示しており、Ｓ０において同期信号の送出後は、フラグを送出し（Ｓ２）、ＤＩＳ信号を受信する毎にＤＣＳを送出する（Ｓ４）。そして、Ｓ４でＤＣＳ送出後は、ＤＩＳ、ＣＦＲを受信するまでフラグを送出する（Ｓ６）。
【００４１】
そして、ＤＩＳを受信すると、再度、ＤＣＳを送出し（Ｓ４）、ＣＦＲを受信すると画信号の送出へ移行する（Ｓ８）。そして、ＴT（コマンド再送のための一定値タイマ）がタイムアウトすると回線を開放する（Ｓ１０）。
【００４２】
また、同期信号の送出後（Ｓ０）、Ｔ１（３５秒）がタイムアウトすると、回線を開放する（Ｓ１２）。
【００４３】
次に、図６は、受信機側の前手順を示しており、Ｓ２０において、同期信号の送出後は、ＤＩＳを連続して送出し（Ｓ２２）、ＤＣＳを受信すると、ＣＦＲを送出し（Ｓ２４）、その後、ＰＩＸを受信すると、ＰＩＸの受信（Ｓ２６）に進む。
【００４４】
ここで、ＰＩＸを受信せず、かつ、次のＤＣＳも受信していない時は、フラグを送出する（Ｓ２８）。また、ＰＩＸを受信せず、かつ、次のＤＣＳを受信すると、再びＳ２４でＣＦＲを送出し、Ｔ２タイマ（Ｔ３０のＴ２タイマで６秒）がタイムオーバすると回線を開放する（Ｓ３０）。
【００４５】
また、同期信号の送出後（Ｓ２０）、Ｔ１タイマ（Ｔ３０のＴ１タイマで３５秒）がタイムオーバすると、回線を開放する（Ｓ３２）。
【００４６】
次に、図３に示す（１）の（１−２）において、送信機は画信号の送出終了後、受信機は画信号の受信終了後、それぞれ同期信号を送出する。
【００４７】
この後、送信機は、例えばＥＣＭの手順においてモードチェンジがなく、次ページがあれば、ＰＰＳ−ＭＰＳ信号を連続して、ＰＰＳ−ＭＰＳ▲１▼、ＰＰＳ−ＭＰＳ▲２▼、ＰＰＳ−ＭＰＳ▲３▼と、相手受信機からＭＣＦ信号を受信するまで送出する。ここでは、ＰＰＳ−ＭＰＳ▲３▼を送出終了時点で、ＭＣＦ▲１▼を受信するので、ＰＰＳ−ＭＰＳ▲３▼まで送出し、７５ｍｓ±１０ｍｓウェイト後、画信号の送出へ移行する。
【００４８】
一方、受信機は、同期信号の送出終了後はフラグパターンを送出し、ＰＰＳ−ＭＰＳ信号を１つ受信する毎に、ＭＣＦ信号を１つ送信する。すなわち、ＰＰＳ−ＭＰＳ▲１▼に対して、ＭＣＦ▲１▼を送出し、ＰＰＳ−ＭＰＳ▲２▼に対してＭＣＦ▲２▼を送出し、ＰＰＳ−ＭＰＳ▲３▼に対してＭＣＦ▲３▼を送出している途中に、画信号を受信するので、ＭＣＦ▲３▼の送出は途中で中断し、画信号の受信へ移行する（以上、図３の（１−２−１））。
【００４９】
また、ＥＣＭの手順においてモードチェンジがあると、送信機はＰＰＳ−ＥＯＭ信号を連続してＭＣＦ信号を受信するまで送出する。送信機は、ＰＰＳ−ＥＯＭ▲３▼を送出した時点でＭＣＦ▲１▼の受信をしているので、フラグを送出し、ＤＩＳ信号を受信し、ＤＩＳ信号の受信後、ＤＣＳ信号の送出へ移行する。また、受信機は、ＰＰＳ−ＥＯＭ信号を１つ受信する毎にＭＣＦ信号を送出する。すなわち、ＰＰＳ−ＥＯＭ▲１▼に対してＭＣＦ▲１▼を送出し、ＰＰＳ−ＥＯＭ▲２▼に対してＭＣＦ▲２▼を送出し、ＭＣＦ▲２▼を送出終了時点で、プリアンブル（ＰＰＳ−ＥＯＭ間に含まれるフラグ数より多いフラグ数）を検出すると、ＭＣＦの送出を止め、ＤＩＳの送出へ移行する（以上、図３の（１−２−２））。
【００５０】
また、ＥＣＭの手順において、最終ページであると、送信機は、ＰＰＳ−ＥＯＰ信号を連続してＭＣＦ信号を受信するまで送出する。送信機は、ＰＰＳ−ＥＯＰ▲３▼を送出した時点でＭＣＦ▲１▼の受信をしているので、ＤＣＮの送出し、そして回線の開放を行う。また、受信機は、ＰＰＳ−ＥＯＰ信号を１つ受信する毎にＭＣＦ信号を送出する。すなわち、ＰＰＳ−ＥＯＰ▲１▼に対してＭＣＦ▲１▼を送出し、ＰＰＳ−ＥＯＰ▲２▼に対してＭＣＦ▲２▼を送出し、ＰＰＳ−ＥＯＰ▲３▼に対してＭＣＦ▲３▼を送出する。その後、ＤＣＮを受信すると、回線を開放する。
【００５１】
次に、図４の（２）に示すエラー発生時の制御手順について説明する。
【００５２】
図４において、受信機の送出するＤＩＳ▲１▼が回線上でエラーするので、送信機は、フラグの送出時間が長くなる。受信機は、ＤＣＳ信号を受信するまでＤＩＳ信号を連続して送出する。送信機は、ＤＩＳ▲２▼に対してＤＣＳ▲１▼を送出するが、これが回線上でエラーしたものとする。
【００５３】
続いて、送信機は、ＤＩＳ▲３▼に対してＤＣＳ▲２▼、ＤＩＳ▲４▼に対してＤＣＳ▲３▼、ＤＩＳ▲５▼に対してＤＣＳ▲４▼を送出する。このＤＣＳ▲４▼を送受した時点では、ＣＦＲ信号を受信していないので、以降、ＣＦＲ信号を受信するまでＤＣＳを送出する。ここで、ＤＣＳ▲５▼を送出した時点でＣＦＲ▲２▼の受信が終了するので、画信号の送信へ移行する。
【００５４】
一方、受信機は、ＤＩＳ▲５▼の送出終了した時点で、ＤＣＳ▲２▼を受信するので、ＣＦＲ信号の送出へ移行する。ＤＣＳ▲２▼に対してＣＦＲ▲１▼を送出するが、回線上でエラーし、そして、ＤＣＳ▲３▼に対してＣＦＲ▲２▼、ＤＣＳ▲４▼に対してＣＦＲ▲３▼を送出し、ＣＦＲ▲３▼の送出を終了した時点で、次のＤＣＳ▲５▼を受信していないので、フラグを送出し、ＤＣＳ▲５▼の受信終了した時点で、ＣＦＲ▲４▼を送出するが、ＰＩＸ（画信号）を検出するので、途中でＣＦＲ▲４▼の送出を中断し、画信号の受信へ移行する。
【００５５】
送信機は画信号の送出終了後、受信機は画信号の受信終了後、それぞれ同期信号を送出する。この後、送信機は、ＭＣＦ信号を受信するまでＱ（＝ＰＰＳ−ＭＰＳ）信号を送出する。ここではＱ▲１▼が回線上でエラーし、その後Ｑ▲２▼、Ｑ▲３▼、Ｑ▲４▼、Ｑ▲５▼を送出し、Ｑ▲５▼送出した時点でＭＣＦ▲２▼を受信しているので、７５ｍｓ±２０ｍｓウェイト後、画信号の送出へ移行する。
【００５６】
一方、受信機は、同期信号を送出終了後、フラグを送出し、Ｑ▲２▼に対してＭＣＦ▲１▼を送出するが、これは回線上でエラーし、そしてＱ▲３▼に対してＭＣＦ▲２▼、Ｑ▲４▼に対してＭＣＦ▲３▼、Ｑ▲５▼に対してＭＣＦ▲４▼を送出する。ＭＣＦ▲４▼を送信途中で、ＰＩＸ（画信号）検出するので、ＭＣＦ▲４▼の送出を中断して、画信号の受信へ移行する（以下、図４の（２−１））。
【００５７】
次に、図４の（２−２）では、受信画像の記録中等であるために、即ＭＣＦ信号が返せない場合の具体例である。まず、送信機は画信号の送出終了後、受信機は画信号の受信終了後、それぞれ同期信号を送出する。この後、送信機は、Ｑ信号を連続して送出し、Ｑ▲３▼を送出した時点で、ＲＮＲ信号を受信すると、ＭＣＦを受信するまでフラグを送出し、ＭＣＦを受信した時点で画信号を送出する。
【００５８】
一方、受信機は、同期信号を送出終了後、フラグを送出し、Ｑ▲１▼を受信した時点で、次ページの受信ができないので、ＲＮＲ信号を送出し、次ページの受信が可になるまでフラグを送出する。そして、次ページの受信が可能になると、ＭＣＦを送出し、ＰＩＸを検出するまでフラグを検出し、ＰＩＸを検出すると、画信号の受信へ移行する。
【００５９】
図７、図８は、以上のような後手順における制御の流れを示すフローチャートである。
【００６０】
まず、図７は、送信機側の後手順を示しており、Ｓ４０において同期信号を送出した後は、Ｓ４２において次ブロックがあれば、ＰＰＳ−ＮＵＬＬ信号、次ページがあってモードチェンジがなければＰＰＳ−ＭＰＳ信号、次ページがあってモードチェンジがあればＰＰＳ−ＥＯＭ信号、次ページがなければＰＰＳ−ＥＯＰ信号を連続して送出する。
【００６１】
そして、ＭＣＦ信号を受信すると、ＰＰＳ−ＮＵＬＬ信号、またはＰＰＳ−ＭＰＳ信号の送出時には、画信号の送出を行い、ＰＰＳ−ＥＯＭ信号の送出時には、図５の▲５▼に進む。また、ＰＰＳ−ＥＯＰ信号の送出時には、ＤＣＮ信号を送出して回線を開放する（Ｓ４４）。
【００６２】
また、ここで、ＴTがタイムアウトすると、Ｓ４６において回線を開放する。また、ＲＮＲ信号の受信時には、Ｓ４８においてフラグを送出し、ＭＣＦを受信するとＳ４４に進む。また、ＰＰＲを受信すると、４回目のＰＰＲの受信であるか否かを判断し、４回目のＰＰＲであるとＳ５４に進み（この時、ＰＰＲの受信カウンタはクリアされる）、４回目のＰＰＲでないとＳ５２に進み、ＰＰＲ信号により指定された誤りフレームの画信号を再送する。
【００６３】
Ｓ５４において当該フレームの誤り再送を続行する場合には、Ｓ５６においてＣＴＣを連続して送出する。そして、ＣＴＲを受信するとＳ５２に進み、ＴTタイムアウトするとＳ５８に進み、回線を開放する。Ｓ５４において当該フレームの誤り再送を続行しない場合は、Ｓ６０においてＥＯＲ−Ｑを連続して送出し、ＥＲＲを受信するとＳ６２においてＤＣＮを送出し、回線を開放する。
【００６４】
図８は、受信機における後手順を示しており、Ｓ７０において同期信号を送出した後は、フラグを送出し（Ｓ７２）、Ｑ信号を受信するとＳ７４に進み、ＴRタイマ（応答受信時の一定値タイマ）がタイムオーバするとＳ７６に進み、回線を開放する。
【００６５】
また、１ページの受信はエラーなく行われたが、１ページの出力（記録）が終了していないで、フロー制御をしたい場合には、Ｓ７８でＲＮＲ信号を送出し、その後はフラグを送出し（Ｓ８０）、次ページの記録が可能になればＳ７４に進み、ＭＣＦを送出する。Ｓ７４では、画信号の受信状況を判定し、エラーフレームがないとＭＣＦを送出し、エラーフレームがあるとＰＰＲを送出し、ＣＴＣ信号を受信するとＣＴＲ信号を送出し、ＥＯＲ−Ｑ信号を受信するとＥＲＲ信号を送出する。
【００６６】
次に、画信号を未受信、あるいはＱ信号の受信が完了していないと、フラグをＳ８２において送出し、Ｓ７４にてＰＰＲあるいはＣＴＲを送出し、ＰＩＸを受信した場合は、Ｓ８４において再送される画情報を受信し、受信したＱはＰＰＳ−ＥＯＭでエラーなしの場合でフラグを検出すると、図６の▲６▼に進み、受信したＱはＰＰＳ−ＭＰＳ、またはＰＰＳ−ＮＵＬＬでエラーなしの場合で、ＰＩＸを受信すると、Ｓ８６にて画信号を受信し、受信したＱはＰＰＳ−ＥＯＰあるいはＥＯＲ−Ｑで、ＭＣＦあるいはＥＲＲを送信後、ＤＣＮを受信すると、Ｓ８８において回線を開放する。
【００６７】
また、Ｔ２あるいはＴRタイマがタイムオーバすると、Ｓ９０にて回線を開放する。また、ＣＴＣ信号を受信時は、再びＳ７４に進み、ＣＴＲを送出し、ＰＩＸを未受信で、Ｑ信号を受信した場合も、再びＳ７４に進み、ＥＯＲ−Ｑ受信時も再びＳ７４に進む。
【００６８】
次に、手順信号の全二重通信と半二重通信の切り換え制御について、図９を用いて説明する。
【００６９】
受信機側は、手順信号の全二重通信と半二重通信が可能であるので、まず全二重通信が可能であることを表わす信号（２００）を送出する。ここで送信機側が従来例で述べたように、手順信号を半二重通信で伝送するタイプのファクシミリ装置であると、無音あるいはＣＮＧ信号を送出してくる。そこで、受信機側は、所定時間以内に送信機側からの手順信号の全二重通信を行うことを表わす信号をきけない場合（なお、この条件に付加して、さらに、従来の手順信号の半二重通信を行うタイプのＣＮＧ信号を検出したという条件を付加してもよい）には、従来の手順信号の半二重通信を行うタイプの信号、具体的にはＣＥＤ、ＮＳＦ／ＣＳＩ／ＤＩＳの送出（２０１）へ移行する。なお、ここで、ＣＥＤは省略することも考えられる。
【００７０】
ここで、受信機は、ＮＳＳ／ＴＳＩ／ＤＣＳ（２０２）を受信すれば、従来の手順信号の半二重通信を実行し、ＮＳＳ／ＴＳＩ／ＤＣＳ等を受信できないと、再度、ＮＳＦ／ＣＳＩ／ＤＩＳを送出する。ここで、ＮＳＦ／ＣＳＩ／ＤＩＳの代わりに、手順信号の全二重通信が可能である旨を表わす信号をＮＳＦ／ＣＳＩ／ＤＩＳと交互に送出してもよい。また、受信機が送出した手順信号の全二重通信が可能であることを表わす信号（Ｓ２００）に対して、送信機が手順信号の全二重通信が可能である旨の信号を検出すると、以後、全二重通信を実行する。
【００７１】
なお、以上の説明では、画信号については半二重通信を行うものであったが、画信号も手順信号と同様に全二重通信を行うものであってもよい。図１０は、画信号を全二重通信とした手順例を示す説明図である。
【００７２】
受信機側は、ＨＤＬＣフォーマット化された画信号を受信していて、エラーがなければ何も返さずに、最終フレームの送出後、ＭＣＦ信号を送出し、従来のＴ．３０で規定されている通信プロトコルと同一となる。しかし、エラーを検出すると、すぐにエラーフレームＮｏ．を通知し、再送要求（３００）を行う。
【００７３】
送信機は、これを検出すると、最終フレーム（３０１）を送出後、再送フレーム（３０２）を送出してもよいし、エラーフレーム再送要求信号を検出した時点で再送フレームを送出してもよい。また、送信機は、最終フレーム送出後、Ｆｌａｇ信号（３０５）を送出し、これを受信機からの受信良好信号（ＭＣＩ）（３０４）を検出するまで続けることで、全二重通信を確保する。
【００７４】
また、送信機は、受信機からのＭＣＦを受信後、次ページがあれば信号断を設けずに、次ページの画伝送へ移行する。
【００７５】
【発明の効果】
本発明によれば、全二重通信と半二重通信とを円滑に切り換えることが可能になる。
【図面の簡単な説明】
【図１】本発明の一実施例を示すブロック図である。
【図２】本発明の第１実施例における具体的な手順例を示す説明図である。
【図３】上記第１実施例における具体的な手順例を示す説明図である。
【図４】上記第１実施例における具体的な手順例を示す説明図である。
【図５】上記第１実施例における具体的な手順例を示すフローチャートである。
【図６】上記第１実施例における具体的な手順例を示すフローチャートである。
【図７】上記第１実施例における具体的な手順例を示すフローチャートである。
【図８】上記第１実施例における具体的な手順例を示すフローチャートである。
【図９】本発明の第２実施例における具体的な手順例を示す説明図である。
【図１０】上記第２実施例における具体的な手順例を示す説明図である。
【符号の説明】
２…ＮＣＵ、
４…電話機、
６…ハイブリッド回路、
８、２２…変調器、
１０…読取回路、
１６…符号化回路、
１８、３２…メモリ回路、
２０…復号化／変倍／符号化回路、
２４…加算回路、
２６、２８…復調器、
３０…復号化／符号化回路、
３４…復号化回路、
３６…記録回路、
５４…制御回路。
【図１】
0003542570.tif 000002
【図２】
0003542570.tif 000003
【図３】
0003542570.tif 000004
【図４】
0003542570.tif 000005
【図５】
0003542570.tif 000006
【図６】
0003542570.tif 000007
【図７】
0003542570.tif 000008
【図８】
0003542570.tif 000009
【図９】
0003542570.tif 000010
【図１０】
0003542570.tif 000011